(57)【特許請求の範囲】
【請求項１】
前面が遊技者に対面する部材に取り付けられる遊技機の灰皿装置であって、
灰受けとなる凹部が設けられている灰皿と、
前記灰皿を遊技機の前後方向に摺動可能に内嵌させる収容部材と、
遊技機の背面側から操作可能な若しくは前記部材を扉状に開放すると操作可能になる遊技機の内部に位置し、前記灰皿を、前記凹部が遊技機の前方に露出する使用位置にてロックして前記前後方向の摺動を阻むロック状態と該ロックを解除したアンロック状態とに可変の第１ロック手段と、
遊技機の背面側から操作可能な若しくは前記部材を扉状に開放すると操作可能になる遊技機の内部に位置し、前記灰皿を、前記凹部が遊技機の前方に露出しない不使用位置にてロックして前記使用位置方向への摺動を阻むロック状態と該ロックを解除したアンロック状態とに可変の第２ロック手段と
を備え、
前記灰皿と前記収容部材とは前記前後方向を軸としての相対回転が不可能に嵌合し、
前記収容部材には外周形状が円又は１／２円を上回る円弧の摺動部が設けられ、
さらに、
自身の位置は前記部材に固定され、前記摺動部をその周方向に摺動回転可能に内嵌させて前記収容部材を支持する支持部材と、
前記使用位置にある前記灰皿が前記凹部が真上を向く位置から設定角度以上に傾くと、前記第１ロック手段を前記アンロック状態に変更する操作を行えなくする操作阻止手段と、を備えた
ことを特徴とする遊技機の灰皿装置。
【請求項２】
請求項１記載の遊技機の灰皿装置において、
前記収容部材に設けられた第１係止受に係止して前記第１ロック手段として機能し、前記収容部材に設けられた第２係止受に係止して前記第２ロック手段として機能する弾性係止片が前記灰皿に設けられている
ことを特徴とする遊技機の灰皿装置。
【請求項３】
請求項１または２記載の遊技機の灰皿装置において、
前記灰皿が前記不使用位置を越えて前記使用位置とは逆方向に移動するのを阻むストッパを備えた
ことを特徴とする遊技機の灰皿装置。
【請求項４】
請求項１、２又は３記載の遊技機の灰皿装置において、
前記凹部が真上を向く位置と前記凹部が真下を向く位置とをそれぞれ限度として、該限度間に前記摺動部の回転範囲を規定する回転規制手段を備えた
ことを特徴とする遊技機の灰皿装置。
【発明の詳細な説明】
【技術分野】
【０００１】
本発明は、遊技機の技術分野に属する。
【背景技術】
【０００２】
パチンコ機やパチスロ機等の遊技機は、その前面部に灰皿が装備されているのが普通である。
しかし、最近では喫煙しない遊技者も少なからず存在するので、遊技店にて禁煙席を設けることも行われている。その場合、単に禁煙に指定しただけで灰皿を使用できる状態であると、禁煙席であっても喫煙してしまうことがある。
【０００３】
そのため、灰皿を使える状態と使えない状態とに切り替え可能にする技術が提案されている。
一例として、特開２００６−１０９９１２号公報には、灰皿を遊技機の内側に収納した状態（禁煙）と遊技機の前面側に引き出した状態（喫煙可）とに切り替える可能な構成が開示されている。
【特許文献１】特開２００６−１０９９１２号公報
【発明の開示】
【発明が解決しようとする課題】
【０００４】
特許文献１に開示されている技術では、灰皿を遊技機の内側に押し込んで収納すると灰皿が係止されてしまい、これを引き出すには、灰皿が取り付けられているパネルを開放して係止を解除しなければならない。つまり、遊技者が勝手に引き出して灰皿を使用することはできない。
【０００５】
しかしながら、灰皿の押し込みを阻む構成を備えていないために、遊技者が誤って、或いは悪戯で押し込んでしまうおそれがある。
【課題を解決するための手段】
【０００６】
請求項１記載の灰皿装置は、
前面が遊技者に対面する部材に取り付けられる遊技機の灰皿装置であって、
灰受けとなる凹部が設けられている灰皿と、
前記灰皿を遊技機の前後方向に摺動可能に内嵌させる収容部材と、
遊技機の背面側から操作可能な若しくは前記部材を扉状に開放すると操作可能になる遊技機の内部に位置し、前記灰皿を、前記凹部が遊技機の前方に露出する使用位置にてロックして前記前後方向の摺動を阻むロック状態と該ロックを解除したアンロック状態とに可変の第１ロック手段と、
遊技機の背面側から操作可能な若しくは前記部材を扉状に開放すると操作可能になる遊技機の内部に位置し、前記灰皿を、前記凹部が遊技機の前方に露出しない不使用位置にてロックして前記使用位置方向への摺動を阻むロック状態と該ロックを解除したアンロック状態とに可変の第２ロック手段と
を備え、
前記灰皿と前記収容部材とは前記前後方向を軸としての相対回転が不可能に嵌合し、
前記収容部材には外周形状が円又は１／２円を上回る円弧の摺動部が設けられ、
さらに、
自身の位置は前記部材に固定され、前記摺動部をその周方向に摺動回転可能に内嵌させて前記収容部材を支持する支持部材と、
前記使用位置にある前記灰皿が前記凹部が真上を向く位置から設定角度以上に傾くと、前記第１ロック手段を前記アンロック状態に変更する操作を行えなくする操作阻止手段と、を備えた
ことを特徴とする。
【０００７】
灰受けとなる凹部が設けられている灰皿は収容部材に内嵌させられ、少なくとも凹部が遊技機の前方に露出する使用位置と凹部が遊技機の前方に露出しない不使用位置との間で、収容部材内を遊技機の前後方向に摺動可能である。つまり、灰皿は使用位置（凹部が露出）と不使用位置（凹部が露出しない）とに可変である。
【０００８】
そして、遊技機の背面側から操作可能な若しくは前記部材を扉状に開放すると操作可能になる遊技機の内部に位置する第１ロック手段及び第２ロック手段が備わっている。
第１ロック手段は、灰皿を使用位置にてロックして前後方向の摺動を阻むロック状態と該ロックを解除したアンロック状態とに可変である。また、第２ロック手段は、灰皿を不使用位置にてロックして使用位置方向への摺動を阻むロック状態と該ロックを解除したアンロック状態とに可変である。
【０００９】
使用位置にある灰皿を第１ロック手段がロックして前後方向の摺動を阻むので、このロックを解除しなければ不使用位置に変更できない。
ところが、この第１ロック手段は、遊技機の背面側から操作可能な若しくは前記部材を扉状に開放すると操作可能になる遊技機の内部に位置するので、遊技客がこれを操作することはできない。よって、遊技者が誤って、或いは悪戯で灰皿を不使用位置に変更してしまうおそれはない。
【００１０】
一方、第１ロック手段をアンロック状態にして（ロックを解除して）灰皿を不使用位置に変更すると、今度は第２ロック手段が灰皿を不使用位置にてロックして使用位置方向への摺動を阻むので、このロックを解除しなければ使用位置に戻すことはできない。
【００１１】
ところが、この第２ロック手段も、遊技機の背面側から操作可能な若しくは前記部材を扉状に開放すると操作可能になる遊技機の内部に位置するので、遊技客がこれを操作することはできない。よって、遊技者が勝手に灰皿を使用位置に戻してしまうおそれもない。
【００１２】
請求項１記載の遊技機の灰皿装置には、前面が遊技者に対面する部材に固定された支持部材が備わっている。その支持部材は、摺動部を内嵌させて収容部材を支持する。摺動部の外周形状は円又は１／２円を上回る円弧（複数の円弧で構成する場合、それらの合計が１／２円を上回ればよい）であり、摺動部はその周方向に摺動回転可能に支持部材に内嵌させられている。なお、支持部材は複数部分に分割されていてもよい。
灰皿と収容部材とは遊技機の前後方向を軸としての相対回転が不可能に嵌合しているため、遊技機の前後方向を軸として灰皿を回転させると、これに伴って収容部材が、支持部材を軸受として回転する。又は、支持部材を軸受として収容部材を回転させると、灰皿が随伴して回転する。
すなわち、遊技機の前後方向を軸として灰皿を回転させることが可能であるから、使用時には凹部を上向きにしておき、吸い殻や灰を払うときには凹部を下向きにすればよく、灰皿の清掃作業が容易である。
請求項１記載の灰皿装置では、使用位置にある灰皿が凹部が真上を向く位置から設定角度以上に傾くと、操作阻止手段は第１ロック手段をアンロック状態に変更する操作を行えなくする。逆に言えば、第１ロック手段をアンロック状態にして灰皿を使用位置から不使用位置に変更するには、凹部が横向きや下向きではなく上向き（設定角度以内の傾き）になっていなければならない。従って、灰皿を不使用位置に変更するときに、凹部から灰等がこぼれ落ちるのを防止でき、そうした灰等が灰皿の摺動を阻害するのも防止できる。この設定角度は９０°未満、好ましくは４５°以下にするのが望ましい。
なお、操作阻止手段の構成に特段の制約はなく、例えば第１ロック手段を覆い隠して操作できなくする構成、第１ロック手段を係止する等でアンロック状態への変化を阻む構成などが可能である。
なお、灰皿装置は、「前面が遊技者に対面する部材」に直接取り付けられてもよいし、前記部材に灰皿装置を取り付けるための部品（例えば取付け板、ブラケットなど）を用いて、間接的に取り付けられてもよい。
【００１３】
請求項２記載の遊技機の灰皿装置は、
請求項１記載の遊技機の灰皿装置において、
前記収容部材に設けられた第１係止受に係止して前記第１ロック手段として機能し、前記収容部材に設けられた第２係止受に係止して前記第２ロック手段として機能する弾性係止片が前記灰皿に設けられている
ことを特徴とする。
【００１４】
請求項２記載の遊技機の灰皿装置では、灰皿に設けられた弾性係止片が第１ロック手段及び第２ロック手段として機能するので、構成を単純化できる。
請求項３記載の遊技機の灰皿装置は、
請求項１または２記載の遊技機の灰皿装置において、
前記灰皿が前記不使用位置を越えて前記使用位置とは逆方向に移動するのを阻むストッパを備えた
ことを特徴とするので、灰皿を不使用位置にする操作を確実に行える。また、灰皿が不使用位置を越えて移動して、何らかの障害を生じるおそれも無くなる。
【００１９】
ところで、灰皿が際限なく回転可能であると、傾いた状態で使用されるおそれがあり、また清掃作業に好都合といえないこともある。
そのため、請求項４記載の遊技機の灰皿装置は、
請求項１、２又は３記載の遊技機の灰皿装置において、
前記凹部が真上を向く位置と前記凹部が真下を向く位置とをそれぞれ限度として、該限度間に前記摺動部の回転範囲を規定する回転規制手段を備えた
構成としている。
【００２０】
すなわち、凹部が真上を向く位置から回し始めれば凹部が真下を向く位置で止まり、その逆なら凹部が真上を向く位置で止まる。もちろん、それらの中間から回し始めても、凹部が真上を向く位置か凹部が真下を向く位置かのどちらかで止まる。従って、灰皿が傾いた状態で使用されるのを避けることができ、また清掃作業に際しては、凹部が真下を向く位置を確実に実現できる。
【００２１】
なお、「凹部が真上を向く」とは、凹部の開口方向が上向きで遊技機の前後方向を軸として左右どちらにも傾いていない（通常は凹部の軸が鉛直になる）ことであり、その逆に凹部の開口方向が下向きになるのが「真下を向く」である。
【００２２】
また、回転規制手段の構成に特段の制約はなく、例えば凹部が真上を向く位置と凹部が真下を向く位置とで突起が他の部材に当接して回転を規制する構成などを採用すればよい。
【発明を実施するための最良の形態】
【００２６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の灰皿装置１は、図示しない遊技機（パチンコ機、パチスロ機等）の前面パネル２（図示は一部のみ）に装備される。前面パネル２は、前面が遊技者に対面する部材に該当する。前面パネル２は遊技機の本体枠（外枠ともいう）にヒンジ構造で連結されており、扉状に開閉可能である。なお、前面パネル２は通常は閉じられていて、前面パネル２の背面側は前方（遊技者側）からは見ることはできないし、手などを入れることもできない。しかし、前面パネル２を開放すれば、前面パネル２の背面部を前方に露出させることができる。
【００２７】
前面パネル２には円形の開口５が設けられており、前面パネル２の裏面には支持部材としての挟持擬筒３、４が連接されている。
挟持擬筒３、４は、開口５を内周とした円筒を周方向に沿って複数に分割したうちの２つに相当する。従って、開口５と同径（実際にはクリアランスが必要なので開口５よりもわずかに小径）の円柱又は円筒を開口５に差し込めば、これを挟持擬筒３、４間に挟み持たせることができる。
【００２８】
本実施例では、挟持擬筒３の中心角は１６９度、挟持擬筒４の中心角は８２度であるが、この角度に限るものではない。また、支持部材としての機能（後述する）が得られれば、１つの部材であっても３つ以上の部材であってもよい。
【００２９】
挟持擬筒３、４の前面パネル２からの突き出し長さは等しく、それらの端部には回転規制手段の一部となる規制片３ａ、４ａが設けられている。
開口５及び挟持擬筒３、４には、収容部材７が挿入されている。
【００３０】
収容部材７は、円盤状のフランジ部８と筒状の筒部９とを備えている。
フランジ部８は、開口５よりも大径であり、前面パネル２の前面側に配されて、背面を前面パネル２の前面に接触させている。
【００３１】
また、フランジ部８には、円の一部を切り欠いた形状（Ｄ字状）のＤ字口１１が開口している。そして、筒部９にはＤ字口１１に連続する摺動孔１２が設けられている。つまり、筒部９の内肛である摺動孔１２の断面形状は、およそ３／４円弧とその弦とによるＤ字状で、その一端がＤ字口１１としてフランジ部８に開口している。
【００３２】
筒部９の樋部分９ａ（円弧に相当する部材）の外径は、前面パネル２の開口５よりもわずかに小さくて、開口５を貫通して挟持擬筒３、４によって挟み持たれている。筒部９は、開口５の軸を中心として周方向に回転可能であり、この回転（いうまでもないが収容部材７全体が回転）時には、樋部分９ａが挟持擬筒３、４の内面を摺動する。すなわち、樋部分９ａは摺動部に該当する。
【００３３】
なお、樋部分９ａと協同して摺動孔１２を形成する平板部分９ｂ（弦に相当する部材）は筒部９の全長にわたって設けられてはおらず（摺動孔１２は筒部９の全長にわたってはおらず）、後端部（フランジ部８とは反対側の端部）は、樋部分９ａのみで断面がＣ字状になっている。
【００３４】
前面パネル２に隣接した樋部分９ａの側面部には、大小の長方形を連結した形状の操作口１３が対面状に対をなして設けられている。小さい方の長方形に相当する操作口１３の窪み１３ａは第１係止受として機能する。また樋部分９ａの後端には第２係止受としての切欠き１４が、操作口１３と同様に対をなして設けられている。
【００３５】
収容部材７には規制部材１５が取り付けられている。詳しくは、規制部材１５には、前面パネル２と対面配置される規制板１６が備わっており、これを前面パネル２の背面に立設され、また筒部９の平板部分９ｂとも連設されたボス１７にビス止めされて、収容部材７に取り付けられている。このため、樋部分９ａが挟持擬筒３、４の内面を摺動して収容部材７が回転するときには、規制部材１５も収容部材７と共に回転する。
【００３６】
フランジ部８と収容部材７に取り付けられた規制板１６との間隔は、前面パネル２の前面から挟持擬筒３、４の端（規制片３ａ、４ａを除く）までの距離とほぼ等しい。このため規制板１６の前面は、挟持擬筒３又は挟持擬筒４の端面に接触して、収容部材７が前面パネル２の前面側へと移動するのを阻んでいる。つまり、フランジ部８と規制板１６とで、収容部材７が前後に移動するのを規制している。
【００３７】
規制板１６には、第１当接縁１８と第２当接縁１９とが設けられており、図１に示す状態では、図１（ｅ）に良好に示されるとおり第１当接縁１８が規制片３ａに当接し、図２に示す状態では、図２（ｅ）に良好に示されるとおり第２当接縁１９が規制片４ａに当接する。
【００３８】
従って、収容部材７と共に規制部材１５が回転し得る範囲は、図１（ｅ）に示す位置から時計回りに図２（ｅ）に示す位置になるまで（この逆に、図２（ｅ）に示す位置から反時計回りに図１（ｅ）に示す位置になるまでも可能）に制限される。当然ながら、収容部材７の回転範囲もこれに応じた範囲に制限される。すなわち、規制板１６（規制部材１５）は、規制片３ａ、４ａと協同して回転規制手段として機能する。
【００３９】
また、規制板１６にはアングル状のストッパ２１が連接されている。ストッパ２１は、規制板１６の端部から平板部分９ｂの延長方向に沿って延出され、直角に折れた先端部を樋部分９ａの内側に至らせている。
【００４０】
更に、規制部材１５には帯状で、挟持擬筒３、４の外周に沿って湾曲した弾性片２２が備わっている。弾性片２２は、片方の側部の一部が規制板１６に連設されており、この連設部分から外れた部分の先端には、湾曲の内側に突き出した突条２２ａが弾性片２２の幅方向に沿って設けられている。突条２２ａの突出高さは挟持擬筒３、４の肉厚とほぼ等しく、図１（ｅ）に示すように挟持擬筒３の側縁に係止できる。
【００４１】
図１（ｅ）に示すように突条２２ａが挟持擬筒３の側縁に係止している状態から、収容部材７及び規制部材１５を時計回りに回転させようとすると突条２２ａの係止が阻害となる。しかし、ある程度以上の力を加えれば弾性片２２を弾性変形させて突条２２ａの係止を解除できるので、収容部材７及び規制部材１５を時計回りに回転させることは可能である。つまり、突条２２ａは、わずかな力では収容部材７を回転させないために設けてある。
【００４２】
収容部材７のＤ字口１１及び摺動孔１２には、灰皿２５を内嵌させてある。灰皿２５の外周形状はＤ字口１１及び摺動孔１２の内周形状に対応しており、灰皿２５はＤ字口１１及び摺動孔１２を、これらの軸方向すなわち遊技機の前後方向に摺動可能である。
【００４３】
但し、Ｄ字状のＤ字口１１及び摺動孔１２に内嵌しているので、灰皿２５と収容部材７とは、遊技機の前後方向を軸としての相対回転は不可能である。
灰皿２５は、灰受けとなる凹部２６が設けられている灰受部材２７と、半円樋状の殻部材２８とをはめ合わせた構造をしている。
【００４４】
灰受部材２７の後端２７ａは平面状で閉じられている。
殻部材２８の全長は灰受部材２７の全長よりも長く、殻部材２８は後端２７ａから突出している。
【００４５】
この突出した部分に、一対の弾性係止片３１が設けられている。弾性係止片３１の先端部には、殻部材２８の外側に凸の係止突起３１ａが設けられている。
弾性係止片３１の位置は筒部９の樋部分９ａに設けられた操作口１３及び切欠き１４に対応しており、灰皿２５をＤ字口１１及び摺動孔１２内で前後方向に摺動させて変位させることで、係止突起３１ａを操作口１３の窪み１３ａに係止させること（図１参照）と、係止突起３１ａを切欠き１４に係止させること（図３参照）が可能である。
【００４６】
係止突起３１ａを窪み１３ａに係止させると（図１参照）、灰皿２５は、凹部２６が前面パネル２（すなわち遊技機）の前方に完全に露出する、使用位置となる。使用位置では凹部２６が前面パネル２（遊技機）の前方に完全に露出するので、灰皿２５を使用することができる。なお、係止突起３１ａと窪み１３ａとの係止は、灰皿２５が前後何れにも移動するのを阻む。
【００４７】
この係止を解除するには、操作口１３に指先などを差し込んで弾性係止片３１を圧迫して、これを内側に弾性変形させればよい。そのようにして係止突起３１ａと窪み１３ａとの係止を解除すれば、灰皿２５は前後何れにも移動可能となる。
【００４８】
但し、前方に移動させると灰皿２５を抜き取ることになるので、灰皿２５の修理や交換以外では、この移動は行わない。
一方、係止突起３１ａと窪み１３ａとの係止を解除して、灰皿２５を後方に押し込むようにすれば、係止突起３１ａが切欠き１４に係止する位置（図３参照）にまで移動させることができる。この位置では凹部２６は前面パネル２（遊技機）の前方には露出しない（不使用位置である。）。よって、灰皿２５は使用できない。
【００４９】
不使用位置になると、係止突起３１ａが切欠き１４に係止するので灰皿２５は前方（使用位置方向）へ移動できない。また、不使用位置になると、灰受部材２７の後端２７ａがストッパ２１に当接するので、灰皿２５が不使用位置を越えて使用位置とは逆方向に移動することもできない。
【００５０】
そして、指先などで係止突起３１ａと切欠き１４との係止を解除すれば、灰皿２５を前方（使用位置方向）へ移動させることができる。
係止突起３１ａに関する上記の説明から明らかなとおり、係止突起３１ａ（弾性係止片３１）は、第１ロック手段及び第２ロック手段として機能する。
【００５１】
灰皿２５は、上記のように使用位置と不使用位置とに可変であるが、操作口１３及び切欠き１４が前面パネル２の背後にあるので、前面パネル２が閉じられていれば、遊技機の前面側（遊技者側）から上記の係止解除を行うことはできない。
しかし、前面パネル２を開放すれば、その背後にある操作口１３及び切欠き１４が露出するので、上記の係止解除を実施できる。また、前面パネル２が閉じられていても、遊技機の背面側からなら上記の係止解除の操作を行える。
【００５２】
つまり、灰皿２５を使用位置、不使用位置に切り換える操作は、遊技店側（店員など）でなければ行えず、遊技客がこれを操作することはできない。よって、遊技者が勝手に灰皿２５を使用位置から不使用位置に、或いは不使用位置から使用位置に変更することはできない。
【００５３】
ところで、灰皿２５が使用されると凹部２６に灰や吸い殻が溜まるので、その清掃が必要となる。
本実施例では、灰皿２５と収容部材７とは遊技機の前後方向を軸としての相対回転は不可能になっているが、挟持擬筒３、４によって挟み持たれている収容部材７は、上述したように開口５の軸を中心として周方向に回転可能である。
【００５４】
従って、使用位置にある灰皿２５に力を加えて回転させれば、灰皿２５を収容部材７と共に回転させることができる。
但し、収容部材７及び灰皿２５の回転範囲は規制板１６（規制部材１５）と規制片３ａ、４ａとによって制限された範囲になる。
【００５５】
図１に示すように、規制板１６の第１当接縁１８が規制片３ａに当接するときは、灰皿２５は凹部２６が真上を向く位置になっている。一方、図２に示すように、第２当接縁１９が規制片４ａに当接するときは、灰皿２５は凹部２６が真下を向く位置になっている。従って、灰皿２５を回転させて凹部２６が真下を向く位置（清掃位置）にすれば、凹部２６に溜まった灰や吸い殻を落下させて払うことができる。
【００５６】
このように、回転規制手段（規制板１６、規制片３ａ、４ａ）は、灰皿２５（及び収容部材７）の回転範囲を凹部２６が真上を向く位置（使用位置）と凹部２６が真下を向く位置（清掃位置）との１８０°の範囲に規制する。
【００５７】
また灰皿２５を清掃位置にしたときには、図２に示すように、操作口１３が挟持擬筒３によって覆い隠されてしまうので（窪み１３ａの一部は除く）、係止突起３１ａと窪み１３ａとの係止を解除する操作が行えない。したがって、灰皿２５を不使用位置方向に移動させることはできない。
【００５８】
但し、使用位置から清掃位置方向へ約４５°回転させると操作口１３の一つが挟持擬筒３によって覆い隠されてしまうので、この分については係止突起３１ａと窪み１３ａとの係止を解除する操作が行えなくなる。よって、灰皿２５を１８０°回転させなくても、４５°以上回転させれば、灰皿２５を不使用位置方向に移動させることはできなくなる。
【００５９】
このため、凹部２６が横向きや下向きになったままで灰皿２５が不使用位置に変更されるおそれはない。そして、不使用位置に変更するときに、凹部２６から灰等がこぼれ落ちるのを防止できるから、そうした灰等が灰皿２５の摺動を阻害するのも防止できる。
【００６０】
挟持擬筒３は、灰皿２５が使用位置から４５°以上傾くと、操作口１３の一方又は両方を覆い隠して、係止突起３１ａと窪み１３ａとの係止を解除する操作が行えなくするので、操作阻止手段として機能する。
【００６１】
なお、本実施例では使用位置から４５°以上傾くと、上記のように係止突起３１ａと窪み１３ａとの係止を解除する操作が行えなくなるが、これよりも小さい角度で係止突起３１ａと窪み１３ａとの係止を解除する操作が行えなくなるようにも設定できる。
【００６２】
また、灰皿２５が使用位置にあるときには、図１（ｅ）に示すように突条２２ａが挟持擬筒３の側縁に係止しているので、収容部材７及び規制部材１５を時計回りに回転させようとすると突条２２ａの係止が阻害となる。この係止はある程度以上の力を加えれば弾性片２２を弾性変形させて解除できるので、灰皿２５を清掃位置へと回転させることに支障はない。しかし、わずかな力であると、突条２２ａの係止が回転を阻むので、遊技者が灰皿２５の使用時に接触した程度では回転しない。要するに、不注意な接触などで灰皿２５が回転して灰などがこぼれるのを防止できる。
【図面の簡単な説明】
【００６３】
【図１】実施例の灰皿装置が使用位置にあるときの平面図（ａ）、左側面図（ｂ）、正面図（ｃ）、右側面図（ｄ）、背面図（ｅ）、底面図（ｆ）、Ａ−Ａ断面図（ｇ）及び斜視図（ｈ）。
【図２】実施例の灰皿装置の灰皿を回転させた状態での平面図（ａ）、左側面図（ｂ）、正面図（ｃ）、右側面図（ｄ）、背面図（ｅ）、底面図（ｆ）及び斜視図（ｇ）。
【図３】実施例の灰皿装置が不使用位置にあるときの平面図（ａ）、左側面図（ｂ）、正面図（ｃ）、右側面図（ｄ）、Ａ−Ａ断面図（ｅ）、底面図（ｆ）及び斜視図（ｇ）。
【符号の説明】
【００６４】
１・・・灰皿装置、
２・・・前面パネル（前面が遊技者に対面する部材）、
３・・・挟持擬筒（支持部材、操作阻止手段）、
４・・・挟持擬筒（支持部材）、
３ａ、４ａ・・・規制片（回転規制手段）、
５・・・開口、
７・・・収容部材、
８・・・フランジ部、
９・・・筒部、
９ａ・・・樋部分（摺動部）、
９ｂ・・・平板部分、
１１・・・Ｄ字口、
１２・・・摺動孔、
１３・・・操作口、
１３ａ・・・窪み（第１係止受）、
１４・・・切欠き（第２係止受）、
１５・・・規制部材、
１６・・・規制板（回転規制手段）、
１７・・・ボス、
１８・・・第１当接縁、
１９・・・第２当接縁、
２１・・・ストッパ、
２２・・・弾性片、
２２ａ・・・突条、
２５・・・灰皿、
２６・・・凹部、
２７・・・灰受部材、
２７ａ・・・後端、
２８・・・殻部材、
３１・・・弾性係止片（第１ロック手段、第２ロック手段）、
３１ａ・・・係止突起。
【図１】
0005048403.tif 000002
【図２】
0005048403.tif 000003
【図３】
0005048403.tif 000004